(57)【要約】【課題】便器の位置決めを正確に行いやすい型紙セット及びこの型紙セットを用いた施工方法を提案する。【解決手段】本発明の型紙セットは、壁面１００に当てて載置される第一型紙１と、これに載置される第二型紙２を備える。第一型紙１は、便器の排水口に取り付けられるエルボ体４の載置位置を示す目印１１と、排水管３が内側に配される開口１２とを有する。第二型紙２は、排水管３に合わせる合わせ孔２２を設けたベース部２０と、エルボ体４に接続された横引き管５が挿通される挿通孔２３を設けた立ち上がり部２１とを有する。挿通孔２３に挿通される箇所が横引き管５の切断位置である。第二型紙２は、複数設けられ、複数の第二型紙２それぞれは、合わせ孔２２の中心Ｃ１から挿通孔２３までの水平方向の距離Ｌ１が互いに異なる。【選択図】図２
2015161164.tif 000002
【特許請求の範囲】
【請求項１】
トイレルームの床面の排水管に取り付けられる排水ソケットと、前記床面に載置され、便器の排水口に取り付けられるエルボ体と、前記排水ソケットと前記エルボ体を接続する横引き管とを介して、前記排水管と前記排水口とを接続する際に用いられる型紙セットであって、
前記トイレルームの壁面に当てた状態で前記床面に載置される第一型紙と、
前記排水管に位置を合わせて前記第一型紙に載置される第二型紙と、を備え、
前記第一型紙は、
前記エルボ体の載置位置を示す目印と、前記排水管が内側に配される開口とを有し、
前記第二型紙は、
前記第一型紙に載置されるベース部と、前記ベース部と一体に設けられる立ち上がり部とを有し、
前記ベース部には、前記排水管に位置を合わせる合わせ孔が設けられ、
前記立ち上がり部には、前記エルボ体に接続された前記横引き管が挿通される挿通孔が設けられ、前記挿通孔に挿通される箇所が前記横引き管の切断位置であり、
前記第二型紙は、複数設けられ、複数の前記第二型紙それぞれは、前記合わせ孔の中心から前記挿通孔までの水平方向の距離が互いに異なることを特徴とする型紙セット。
【請求項２】
前記第一型紙には、前記開口の周囲に、選択されるべき前記第二型紙を示す第二目印が設けられることを特徴とする請求項１に記載の型紙セット。
【請求項３】
トイレルームの床面の排水管に取り付けられる排水ソケットと、前記床面に載置され、便器の排水口に取り付けられるエルボ体と、前記排水ソケットと前記エルボ体を接続する横引き管とを介して、前記排水管と前記排水口とを接続する際に用いられる型紙セットであって、
前記トイレルームの壁面に当てた状態で前記床面に載置される第一型紙と、
前記排水管に位置を合わせて前記第一型紙に載置される第二型紙と、を備え、
前記第一型紙は、
前記エルボ体の載置位置を示す目印と、前記排水管が内側に配される開口とを有し、
前記第二型紙は、
前記第一型紙に載置されるベース部と、前記ベース部と一体に設けられる複数の立ち上がり部とを有し、
前記ベース部には、前記排水管に位置を合わせる合わせ孔が設けられ、
前記複数の立ち上がり部にはそれぞれ、前記エルボ体に接続された前記横引き管が挿通される挿通孔が設けられ、前記挿通孔に挿通される箇所が前記横引き管の切断位置であり、
前記複数の立ち上がり部にそれぞれ設けられた前記挿通孔は、前記合わせ孔の中心までの水平方向の距離が互いに異なることを特徴とする型紙セット。
【請求項４】
前記複数の立ち上がり部は、２つの立ち上がり部であり、
前記２つの立ち上がり部間に、前記合わせ孔が位置することを特徴とする請求項３に記載の型紙セット。
【請求項５】
請求項１または３に記載の型紙セットを用いた施工方法であって、
前記トイレルームの前記壁面と前記便器との間にトイレ用設備を設置する際に、
請求項１の複数の前記第二型紙のうち、前記合わせ孔の中心から前記挿通孔までの距離が長い方の前記第二型紙を用いるか、または、請求項３の複数の前記挿通孔のうち、前記合わせ孔の中心から前記挿通孔までの距離が長い方の前記挿通孔を用いることで、前記横引き管の切断位置を決定して、前記切断位置で前記横引き管を切断し、
前記エルボ体を前記載置位置よりも前記排水管側にずらして配置することで、前記壁面と前記便器との間に、前記トイレ用設備を設置するためのスペースを形成することを特徴とする施工方法。
【請求項６】
請求項１または３に記載の型紙セットを用いた施工方法であって、
前記第二型紙を用いて、前記載置位置上の前記エルボ体に接続された前記横引き管の切断位置を決定し、
前記エルボ体を前記載置位置で前記床面に対して取り付けることを特徴とする施工方法。
【発明の詳細な説明】
【技術分野】
【０００１】
本発明は、型紙セット及びこの型紙セットを用いた施工方法に関し、詳細には、トイレルームの床面の排水管と便器の排水口とを接続する際に用いられる型紙セット及びこの型紙セットを用いた施工方法に関する。
【背景技術】
【０００２】
特許文献１には、一対の型紙を用いて、便器の排水装置に固着される排水アジャスタと、床の排水管に取り付けられる床フランジ接続部の、位置決めを行う便器の設置位置決め用型紙が開示されている。
【０００３】
一対の型紙のうちの一方の型紙には、排水アジャスタの据付位置に切欠形状が設けられている。そして、他方の型紙には、排水管に合わせる円形の切欠形状と、排水アジャスタに仮付される横引管の切断位置を示す横引管切断ラインが設けられている。
【０００４】
特許文献１の設置位置決め用型紙は、以下のようにして用いられる。
【０００５】
まず、一方の型紙を壁に沿わせて床上に置き、他方の型紙を一方の型紙の上でスライドさせて、他方の型紙の切欠形状を排水管に合わせる。そして、一方の型紙の切欠形状に排水アジャスタを載せ、排水アジャスタに仮付けされた横引管を、他方の型紙の横引管切断ラインに沿って切断する。そして、切断した横引管で排水アジャスタと床フランジ接続部を連結する。
【０００６】
特許文献１の設置位置決め用型紙を用いることで、現場によって異なる排水管の位置に合わせて横引管の長さを変えることができ、これにより、排水アジャスタと床フランジ接続部の位置決めを正確に行うことができる。
【先行技術文献】
【特許文献】
【０００７】
【特許文献１】特開２００７−９２３２８号公報
【発明の概要】
【発明が解決しようとする課題】
【０００８】
ところで、便器と壁面との間には、手洗い器などのトイレ用設備が配置される場合がある。
【０００９】
その場合、特許文献１の設置位置決め用型紙は、例えば、以下のようにして用いることが考えられる。
【００１０】
まず、壁からトイレ用設備を設置するためのスペースの分だけ離して、一方の型紙を床上に置く。そして、上述した流れで、横引管の長さを変えて、排水アジャスタと床フランジ接続部の位置決めを行う。
【００１１】
しかし、一方の型紙を壁から離して配置した場合、この一方の型紙の施工中の位置ずれを壁で規制することができない。そのため、特許文献１の設置位置決め用型紙では、上記の場合に、排水アジャスタと床フランジ接続部の位置決め、ひいては、便器の位置決めを正確に行うことが難しい。
【００１２】
また、例えば、壁から排水管までの距離が長くて、延長部材付きの床フランジ接続部を用いる必要がある場合には、特許文献１の設置位置決め用型紙では、一方の型紙を、延長部材の分だけ壁から離して配置する必要がある。
【００１３】
この場合にも、特許文献１の設置位置決め用型紙では、一方の型紙の施工中の位置ずれを壁で規制することができないため、排水アジャスタと床フランジ接続部の位置決め、ひいては、便器の位置決めを正確に行うことが難しい。
【００１４】
上記事情を鑑みて、本発明は、便器の位置決めを正確に行いやすい型紙セット及びこの型紙セットを用いた施工方法を提案することを課題とする。
【課題を解決するための手段】
【００１５】
上記課題を解決するために本発明の型紙セットは、トイレルームの床面の排水管に取り付けられる排水ソケットと、前記床面に載置され、便器の排水口に取り付けられるエルボ体と、前記排水ソケットと前記エルボ体を接続する横引き管とを介して、前記排水管と前記排水口とを接続する際に用いられる型紙セットであって、前記トイレルームの壁面に当てた状態で前記床面に載置される第一型紙と、前記排水管に位置を合わせて前記第一型紙に載置される第二型紙と、を備え、前記第一型紙は、前記エルボ体の載置位置を示す目印と、前記排水管が内側に配される開口とを有し、前記第二型紙は、前記第一型紙に載置されるベース部と、前記ベース部と一体に設けられる立ち上がり部とを有し、前記ベース部には、前記排水管に位置を合わせる合わせ孔が設けられ、前記立ち上がり部には、前記エルボ体に接続された前記横引き管が挿通される挿通孔が設けられ、前記挿通孔に挿通される箇所が前記横引き管の切断位置であり、前記第二型紙は、複数設けられ、複数の前記第二型紙それぞれは、前記合わせ孔の中心から前記挿通孔までの水平方向の距離が互いに異なることを特徴とする。
【００１６】
また、前記第一型紙には、前記開口の周囲に、選択されるべき前記第二型紙を示す第二目印が設けられることが好ましい。
【００１７】
そして、上記課題を解決するために本発明の型紙セットは、トイレルームの床面の排水管に取り付けられる排水ソケットと、前記床面に載置され、便器の排水口に取り付けられるエルボ体と、前記排水ソケットと前記エルボ体を接続する横引き管とを介して、前記排水管と前記排水口とを接続する際に用いられる型紙セットであって、前記トイレルームの壁面に当てた状態で前記床面に載置される第一型紙と、前記排水管に位置を合わせて前記第一型紙に載置される第二型紙と、を備え、前記第一型紙は、前記エルボ体の載置位置を示す目印と、前記排水管が内側に配される開口とを有し、前記第二型紙は、前記第一型紙に載置されるベース部と、前記ベース部と一体に設けられる複数の立ち上がり部とを有し、前記ベース部には、前記排水管に位置を合わせる合わせ孔が設けられ、前記複数の立ち上がり部にはそれぞれ、前記エルボ体に接続された前記横引き管が挿通される挿通孔が設けられ、前記挿通孔に挿通される箇所が前記横引き管の切断位置であり、前記複数の立ち上がり部にそれぞれ設けられた前記挿通孔は、前記合わせ孔の中心までの水平方向の距離が互いに異なることを特徴とする。
【００１８】
また、前記複数の立ち上がり部は、２つの立ち上がり部であり、前記２つの立ち上がり部間に、前記合わせ孔が位置することが好ましい。
【００１９】
また、上記課題を解決するために本発明の型紙セットを用いた施工方法は、前記の型紙セットを用いた施工方法であって、前記トイレルームの前記壁面と前記便器との間にトイレ用設備を設置する際に、複数の前記第二型紙のうち、前記合わせ孔の中心から前記挿通孔までの距離が長い方の前記第二型紙を用いるか、または、複数の前記挿通孔のうち、前記合わせ孔の中心から前記挿通孔までの距離が長い方の前記挿通孔を用いることで、前記横引き管の切断位置を決定して、前記切断位置で前記横引き管を切断し、前記エルボ体を前記載置位置よりも前記排水管側にずらして配置することで、前記壁面と前記便器との間に、前記トイレ用設備を設置するためのスペースを形成することを特徴とする。
【００２０】
また、上記課題を解決するために本発明の型紙セットを用いた施工方法は、前記の型紙セットを用いた施工方法であって、前記第二型紙を用いて、前記載置位置上の前記エルボ体に接続された前記横引き管の切断位置を決定し、前記エルボ体を前記載置位置で前記床面に対して取り付けることを特徴とする。
【発明の効果】
【００２１】
本発明の型紙セットでは、便器と壁面との間に手洗い器などのトイレ用設備を配置する際や延長部材付きの排水ソケットを用いる際には、複数の第二型紙の中から対応した第二型紙を選択することで、第一型紙をトイレルームの壁面に当てた状態で用いることができる。これにより、本発明の型紙セットでは、施工中の第一型紙の位置ずれを壁面で規制することができ、便器の位置決めを正確に行いやすい。
【００２２】
また、本発明の他の型紙セットでは、便器と壁面との間にトイレ用設備を配置する際や延長部材付きの排水ソケットを用いる際には、複数の挿通孔の中から対応した挿通孔を選択することで、第一型紙をトイレルームの壁面に当てた状態で用いることができる。これにより、本発明の他の型紙セットでは、施工中の第一型紙の位置ずれを壁面で規制することができ、便器の位置決めを正確に行いやすい。
【図面の簡単な説明】
【００２３】
【図１】本発明の第一実施形態の型紙セットを示し、（ａ）は第一型紙の平面図であり、（ｂ）は第二型紙の斜視図であり、（ｃ）は他の第二型紙の斜視図である。
【図２】（ａ），（ｂ）は同上の型紙セットの配置例を示す斜視図である。
【図３】（ａ），（ｂ）は同上の型紙セットによって配置が決められる、排水ソケット、エルボ体、及び横引き管の組立手順を示す斜視図である。
【図４】（ａ），（ｂ）は同上の型紙セットによって配置が決められる、排水ソケット、延長部材、エルボ体、及び横引き管の組立手順を示す斜視図である。
【図５】（ａ），（ｂ）は同上の型紙セットを用いた施工方法の一例を示す斜視図である。
【図６】図５（ｂ）の後の施工手順を示す斜視図である。
【図７】（ａ），（ｂ）は図６の後の施工手順を示す斜視図である。
【図８】図７の後の施工手順を示す斜視図である。
【図９】図８の後の施工手順を示す斜視図である。
【図１０】同上の型紙セットを用いた施工方法の他の一例の施工手順の１つを示す斜視図である。
【図１１】本発明の第二実施形態の型紙セットの第二型紙を示す平面図である。
【図１２】（ａ），（ｂ）は同上の第二型紙の配置例を示す斜視図である。
【発明を実施するための形態】
【００２４】
本発明を添付図面に示す実施形態に基づいて説明する。
【００２５】
本発明の第一実施形態の型紙セットは、図１（ａ）に示す第一型紙１と、図１（ｂ）や図１（ｃ）に示す第二型紙２とを備える。本実施形態では、第二型紙２は、複数設けられる。
【００２６】
図２（ａ）及び図２（ｂ）に示すように、第一型紙１は、トイレルームの壁面１００に当てた状態でトイレルームの床面１０１に載置される。第二型紙２は、床面１０１の排水管３に位置を合わせて第一型紙１に載置される。以下では、トイレルームの壁面１００に対して型紙セットが配置される側を前方とし、その反対側を後方とし、トイレルームの壁面１００に沿った水平方向を左右方向とし、トイレルームの壁面１００に沿った鉛直方向を上下方向として、各構成について説明する。つまり、図２（ａ）においては、矢印Ｘ１で示す方向が前方であり、その逆側が後方であり、矢印Ｙ１で示す方向が右方であり、その逆側が左方であり、矢印Ｚ１で示す方向が上方であり、その逆方向が下方である。
【００２７】
第一型紙１は、図１（ａ）、図２（ａ）及び図２（ｂ）に示すように、平面視略矩形状であり、後端面１０が左右方向に亘って壁面１００に当てられる面となっている。第一型紙１は、例えば厚紙で形成される。なお、第一型紙１は、厚紙に限らず、樹脂製等のシート部材で形成してもよい。
【００２８】
第一型紙１は、便器の排水口に取り付けられるエルボ体４の載置位置を示す目印１１と、排水管３が内側に配される開口１２とを有する。本実施形態では、目印１１は、略矩形状の孔であり、エルボ体４の下面の形状と同形状である。
【００２９】
エルボ体４は、上方に向けて開口し、便器の排水口に接続される流入口４０と、前方に向けて開口し、横引き管５が接続される排出口４１と、床面１０１に載置される板状の載置部４２とを有する。第一型紙１の目印１１は、載置部４２の平面視外形状と略同形状である。エルボ体４は、載置部４２を目印１１に合わせて配置することで、排出口４１がまっすぐ前方を向く。エルボ体４に接続される横引き管５は、前後方向を長手方向とする筒体である。本実施形態では、横引き管５は、長手方向に垂直な断面が略円形状であり、上面が弧状ではなくフラットな面となっている。
【００３０】
開口１２は、前後方向に長く設けられ、壁面１００からの距離が互いに異なる様々な排水管３を内側に配することができる。例えば、開口１２は、壁面１００からの距離が、３０５ｍｍから４７０ｍｍの排水管３を内側に配することができる。本実施形態では、開口１２は、排水管３の周囲の床面１０１に取り付けられる平面視円環状の取付部材３０を内側に配することができる。開口１２は、前後方向に長い略楕円形状に設けられ、左右幅が取付部材３０の外径と略同じである。
【００３１】
取付部材３０には、図３（ａ）及び図３（ｂ）に示す排水ソケット６が、ボルト・ナット等の固定具によって取り付けられる。排水ソケット６は、後方に向けて開口し、横引き管５の前端部が接続される流入口６０と、下方に向けて開口し、排水管３の上端開口部に連通する排出口６１と、取付部材３０に載置される板状の載置部６２とを有する。流入口６０内には、挿入された横引き管５の前端面が当たるストッパー面６３が設けられている。排水ソケット６は、載置部６２が固定具によって取付部材３０に固定される。排水ソケット６は、載置部６２が取付部材３０に固定された状態で、排出口６１の孔中心Ｃ２が排水管３の孔中心Ｃ３に、平面視にて一致する。排水ソケット６は、横引き管５を介してエルボ体４に接続される。
【００３２】
また、排水ソケット６には、必要に応じて、図４（ａ）及び図４（ｂ）に示すように、延長部材７が取り付けられる。延長部材７は、略円筒状であり、前端部が排水ソケット６の流入口６０に挿入され、前端面が流入口６０内のストッパー面６３に当てた状態で、排水ソケット６に接続される。延長部材７は、後端部に横引き管５の前端部が挿入される。延長部材７の後端部内には、横引き管５の前端面が当たるストッパー面７０が設けられている。
【００３３】
第二型紙２は、図１（ｂ），（ｃ）及び図２（ｂ）に示すように、第一型紙１に載置されるベース部２０と、ベース部２０と一体に設けられる立ち上がり部２１とを有する。立ち上がり部２１は、少なくとも第二型紙２を使用する際には、ベース部２０から上方に突出する。本実施形態では、ベース部２０と立ち上がり部２１は、例えば、１枚の長方形状のシート材を長手方向の一部で９０度に折り曲げることで形成される。なお、立ち上がり部２１は、ベース部２０から上方に突出させて形成したものであってもよい。第二型紙２は、例えば厚紙で形成される。なお、第二型紙２は、立ち上がり部２１をベース部２０に対して垂直にできるものであれば、硬質な樹脂シート等の他のシート部材で形成してもよい。
【００３４】
ベース部２０には、排水管３に位置を合わせる合わせ孔２２が設けられている。本実施形態では、合わせ孔２２は、孔縁が平面視略Ｃ字状をなす略円形状の孔であり、円環状の取付部材３０の外周面の大部分に合致する。なお、合わせ孔２２は、取付部材３０の外周面に全周に亘って合致する円形状の孔であってもよい。
【００３５】
立ち上がり部２１には、エルボ体４に接続された横引き管５が挿通される挿通孔２３と、取付部材３０が収められる収納孔２４とが設けられている。挿通孔２３は、横引き管５の長手方向に垂直な断面と同形状である。本実施形態では、挿通孔２３は、略円形状であり、上端部の孔縁がフラットである。
【００３６】
挿通孔２３は、横引き管５と同じ上下位置となるように立ち上がり部２１に設けられる。挿通孔２３に挿通された横引き管５は、立ち上がり部２１によって支持される。横引き管５のうち挿通孔２３に挿通される箇所が横引き管５の切断位置である。ここで、横引き管５のうち挿通孔２３に挿通される箇所とは、挿通孔２３と平面視にて一致する箇所に限らず、立ち上がり部２１の前面に沿った箇所や、立ち上がり部２１の後面に沿った箇所も含む。なお、挿通孔２３は、横引き管５を挿通可能な孔であればよく、挿通された横引き管５との間に隙間が形成されて横引き管５を支持しないものであってもよい。
【００３７】
収納孔２４は、取付部材３０のうち平面視にて立ち上がり部２１と重なる部位を収める孔である。本実施形態では、立ち上がり部２１の下端部のうち、合わせ孔２２の孔縁と連続する２か所に、切り込み２５を上方に向けて形成することで、左右一対の切り込み２５間に収納孔２４が形成される。立ち上がり部２１の下端部のうち、左右一対の切り込み２５間の部位が、取付部材３０によって押し上げられることで、収納孔２４内に取付部材３０が収納される。このように収納孔２４を設けることで、立ち上がり部２１が取付部材３０によって押し上げられて、第一型紙１から離れることを防止できる。なお、収納孔２４は、立ち上がり部２１の下端部のうち、左右一対の切り込み２５間の部位を切除した、前後方向に貫通する孔であってもよい。
【００３８】
第二型紙２は、複数設けられ、複数の第二型紙２はそれぞれ、合わせ孔２２の中心Ｃ１から挿通孔２３までの水平方向の距離Ｌ１が互いに異なる。言い換えると、複数の第二型紙２はそれぞれ、合わせ孔２２の中心Ｃ１から立ち上がり部２１までの水平方向の距離Ｌ１が互いに異なる。
【００３９】
複数の第二型紙２は、排水管３に取り付けられる排水ソケット６に対応した第二型紙２００を含む。図１（ｂ）に示す第二型紙２が、排水ソケット６に対応した第二型紙２００である。
【００４０】
第二型紙２００の、合わせ孔２２の中心Ｃ１から挿通孔２３までの前後距離Ｌ１０は、排水ソケット６のストッパー面６３から排出口６１の孔中心Ｃ２までの前後距離Ｌ２と同じである（図３（ａ）参照）。つまり、第二型紙２００は、合わせ孔２２の中心Ｃ１が排水ソケット６の排出口６１の孔中心Ｃ２に対応し、挿通孔２３が排水ソケット６の流入口６０内のストッパー面６３に対応する、排水ソケット６を単純化したモデルとなっている。
【００４１】
また、複数の第二型紙２は、延長部材７を取り付けた排水ソケット６（図４（ｂ）参照）に対応した第二型紙２０１を含む。図１（ｃ）に示す第二型紙２が、延長部材７付きの排水ソケット６に対応した第二型紙２０１である。第二型紙２０１の、合わせ孔２２の中心Ｃ１から挿通孔２３までの前後距離Ｌ１１は、第二型紙２００の前後距離Ｌ１０よりも、延長部材７の前端面からストッパー面７０までの前後距離Ｌ３の分だけ長い（図４（ａ）参照）。つまり、第二型紙２０１は、合わせ孔２２の中心Ｃ１が排水ソケット６の排出口６１の孔中心Ｃ２に対応し、挿通孔２３が延長部材７内のストッパー面７０に対応する、延長部材７付きの排水ソケット６を単純化したモデルとなっている。第二型紙２０１では、第二型紙２００よりも合わせ孔２２内に配される取付部材３０の範囲が広い。
【００４２】
また、複数の第二型紙２は、トイレルームの壁面１００と便器との間に設置される、手洗い器等のトイレ用設備に対応した第二型紙２０２を含む（図５（ｂ）参照）。第二型紙２０２の、合わせ孔２２の中心Ｃ１から挿通孔２３までの前後距離Ｌ１２は、第二型紙２００の前後距離Ｌ１０よりも、トイレ用設備の前後長さの分だけ長い。第二型紙２０２の前後距離Ｌ１２は、設置されるトイレ用設備の前後長さに対応させて、適宜設定可能である。なお、第二型紙２０２は、前後距離Ｌ１２が合わせ孔２２の半径よりも長い場合には、立ち上がり部２１には収納孔２４が形成されない。
【００４３】
また、第一型紙１には、図１（ａ）に示すように、開口１２の周囲に、使用されるべき第二型紙２を示す第二目印１３が設けられる。第二目印１３は、開口１２内における排水管３の孔中心Ｃ３の前後位置と見比べることで、複数の第二型紙２のうち使用されるべき１つの第二型紙２が施工者にわかるように設けられる。ここで、複数の第二型紙２とは、排水ソケット６に対応した第二型紙２００と、延長部材７付きの排水ソケット６に対応した第二型紙２０１である。第二目印１３は、例えば、使用する第二型紙２を切り替える位置に描かれた直線１３０を有する。直線１３０は、例えば、壁面１００からの距離が４４５ｍｍの箇所に描かれる。第二目印１３は、第一型紙１のうち開口１２よりも右側の部位と左側の部位にそれぞれ設けられる。
【００４４】
また、第一型紙１には、便器の前部が固定される固定片８（図７（ｂ）等参照）を取り付けるための第三目印１４が、開口１２よりも前側に設けられる。第三目印１４は、本実施形態では、固定片８の下面の外形と略同形状の孔である。
【００４５】
また、第一型紙１には、図１（ａ）に示すように、左右方向の中央部に、切り離し線１５が設けられる。切り離し線１５は、第一型紙１のうち、例えば、第一型紙１の前端面から第三目印１４までの部位と、第三目印１４から開口１２までの部位と、開口１２から目印１１までの部位に設けられる。これにより、第一型紙１は、床面１０１から取り外す際に、切り離し線１５で簡単に左右に分けることができる。
【００４６】
続いて、以上説明した本実施形態の型紙セットを用いた施工方法の一例について説明する。
【００４７】
まず、トイレルームの壁面１００と便器との間に、手洗い器等のトイレ用設備を設置する場合について説明する。
【００４８】
初めに、図５（ａ）に示すように、第一型紙１の後端面１０をトイレルームの壁面１００に当て、第一型紙１の開口１２内に排水管３の周囲の取付部材３０を位置させた状態で、第一型紙１をトイレルームの床面１０１に載置する。
【００４９】
次いで、第一型紙１の目印１１に位置を合わせてエルボ体４を床面１０１に載置する。ここで、エルボ体４の排出口４１には、横引き管５を接続しておく。
【００５０】
次いで、図５（ｂ）に示すように、複数の第二型紙２のうち、トイレ用設備に対応した第二型紙２０２を、排水管３の位置に合わせて第一型紙１に載置する。このとき、第二型紙２０２の合わせ孔２２を排水管３の周囲の取付部材３０の外周面に合致させ、第二型紙２０１の立ち上がり部２１の挿通孔２３に横引き管５を挿通させる。ここで、合わせ孔２２から上方に突出する取付部材３０が、立ち上がり部２１の収納孔２４に収められることで、第二型紙２０２は、第一型紙１に接触した状態を確保できる。
【００５１】
次いで、図６に示すように、横引き管５のうち挿通孔２３を挿通する箇所に、マーカー等で切断位置を示すマークＭ１を付けて、第二型紙２０１を取り外す。次いで、横引き管５のマークＭ１の付いた箇所を、のこぎり等の切断具を用いて切断する。
【００５２】
次いで、切断された横引き管５の先端部（前端部）を、排水ソケット６の流入口６０に接続する（図３（ａ）及び図３（ｂ）参照）。このとき、横引き管５の前端を、流入口６０内のストッパー面６３に当てる。そして、排水ソケット６と横引き管５とエルボ体４を接着剤等で一体化させる。
【００５３】
次いで、図７（ａ）及び図７（ｂ）に示すように、排水ソケット６の載置部６２を、排水管３の周囲の取付部材３０に載置して、載置部６２を取付部材３０にボルト・ナット等の固定具８０を用いて固定する。このとき、エルボ体４は、第一型紙１の目印１１よりも前側、つまり排水管３側に、トイレ用設備の前後長さ分だけずらして配置されることになる。次いで、第一型紙１の第三目印１４に位置を合わせて、固定片８を床面１０１に載置し、第三目印１４内の床面１０１に固定片８を、ねじ等の固定具８１で固定する。なお、排水ソケット６の取付部材３０への固定と、固定片８の床面１０１への固定は、どちらを先に行ってもよい。
【００５４】
次いで、図８に示すように、第一型紙１を切り離し線１５で分けて、床面１０１から取り外す。次いで、エルボ体４の載置部４２をビス等の固定具８３を用いて床面１０１に固定する。
【００５５】
次いで、図９に示すように、エルボ体４の上方から便器９を落とし込み、エルボ体４の流入口４０に便器９の排水口を接続させる。次いで、便器９の前部に、前方からねじ等の固定具８２を挿通させて、便器９の前部を固定片８に固定する。以上のように設置することで、便器９と壁面１００との間には、トイレ用設備を設置するためのスペースが形成される。次いで、前記スペースに、トイレ用設備を設置する。
【００５６】
以上のように、本実施形態の型紙セットを用いた施工方法では、トイレ用設備に対応した第二型紙２０２を用いることで、第一型紙１をトイレルームの壁面１００に当てたままの状態で使用できる。そのため、本実施形態の型紙セットを用いた施工方法では、施工中の第一型紙１の位置ずれをトイレルームの壁面１００によって規制することができ、トイレルームの壁面１００と便器との間にトイレ用設備を設置する際に、便器の位置決めを簡単に行うことができる。
【００５７】
続いて、トイレルームの壁面１００と便器との間に、トイレ用設備を設置しない場合について説明する。以下では、上述した施工方法と異なる施工手順については詳しく説明する。
【００５８】
初めに、図２（ａ）に示すように、第一型紙１を壁面１００に当てた状態で床面１０１に載置し、目印１１に位置を合わせて、横引き管５を接続したエルボ体４を床面１０１に載置する。
【００５９】
次いで、図１（ａ）に示す第一型紙１の開口１２の周囲の第二目印１３と、開口１２内における排水管３の孔中心Ｃ３の前後位置とを比べて、使用されるべき１つの第二型紙２を決める。ここで、第二目印１３の直線１３０よりも後側に排水管３の孔中心Ｃ３が位置する場合には、排水ソケット６に対応した第二型紙２００を使用する。そして、第二目印１３の直線１３０よりも前側に排水管３の孔中心Ｃ３が位置する場合には、延長部材７付きの排水ソケット６に対応した第二型紙２０１を使用する。
【００６０】
まず、排水ソケット６に対応した第二型紙２００を使用する場合について説明する。
【００６１】
エルボ体４を床面１０１に載置した後、図２（ｂ）に示すように、第二型紙２００を、排水管３の位置に合わせて第一型紙１に載置し、挿通孔２３に横引き管５を挿入させる。次いで、横引き管５のうち挿通孔２３に挿通する箇所に、切断位置を示すマークＭ１を付ける。
【００６２】
次いで、第二型紙２００を取り外して、横引き管５のマークＭ１の付いた箇所を切断する。次いで、切断された横引き管５の前端を流入口６０内のストッパー面６３に当て、排水ソケット６と横引き管５とエルボ体４を接着剤等で一体化させる。
【００６３】
次いで、図１０に示すように、排水ソケット６の載置部６２を、取付部材３０に固定する。このとき、エルボ体４の載置部４２は、第一型紙１の目印１１内の床面１０１に載置される。エルボ体４の載置部４２は、ねじ等の固定具８３を用いて、目印１１内の床面１０１に固定する。そして、第一型紙１の第三目印１４に合わせて、固定片８を床面１０１に固定する。
【００６４】
次いで、第一型紙１を切り離し線１５で分けて、床面１０１から取り外す。次いで、エルボ体４の上方から便器９を落とし込み、エルボ体４の流入口４０に便器９の排水口を接続させる。次いで、便器９の前部に、前方から固定具８２を挿通させて、便器の前部を固定片８に固定する。
【００６５】
続いて、延長部材７付きの排水ソケット６に対応した第二型紙２０１を使用する場合について説明する。
【００６６】
図５（ａ）及び図５（ｂ）に示すように、エルボ体４を床面１０１に載置した後、第二型紙２０１を、排水管３の位置に合わせて第一型紙１に載置し、挿通孔２３に横引き管５を挿入させる。次いで、横引き管５のうち挿通孔２３に挿通する箇所に、切断位置を示すマークＭ１を付ける。
【００６７】
次いで、第二型紙２０１を取り外して、横引き管５のマークＭ１の付いた箇所を切断する。次いで、排水ソケット６の流入口６０に接続された延長部材７の後端部に、切断された横引き管５の先端部（前端部）を接続する（図４（ｂ）参照）。このとき、切断された横引き管５の前端を、延長部材７内のストッパー面７０に当てる。そして、排水ソケット６と延長部材７と横引き管５とエルボ体４を接着剤等で一体化させる。なお、延長部材７は、横引き管５が接続される前に、排水ソケット６に接着剤等で一体化させておいてもよい。
【００６８】
次いで、排水ソケット６の載置部６２を、取付部材３０に固定する。このとき、エルボ体４の載置部４２は、第一型紙１の目印１１内の床面１０１に載置される。エルボ体４の載置部４２は、ねじ等の固定具８３を用いて、目印１１内の床面１０１に固定する。そして、第一型紙１の第三目印１４に位置を合わせて、固定片８を床面１０１に固定する。
【００６９】
次いで、第一型紙１を切り離し線１５で分けて、床面１０１から取り外す。次いで、エルボ体４の上方から便器９を落とし込み、エルボ体４の流入口４０に便器９の排水口を接続させる。次いで、便器９の前部に、前方から固定具８２を挿通させて、便器９の前部を固定片８に固定する。
【００７０】
以上のように本実施形態の型紙セットを用いた施工方法では、壁面１００と便器との間にトイレ用設備を設置せず、延長部材７付きの排水ソケット６を用いる際にも、対応した第二型紙２０１を用いることで、第一型紙１を壁面１００に当てた状態で用いることができる。
【００７１】
また、本実施形態の型紙セットを用いた施工方法では、壁面１００と便器との間にトイレ用設備を設置せず、延長部材７無しの排水ソケット６を用いる際にも、対応した第二型紙２００を用いることで、第一型紙１を壁面１００に当てた状態で用いることができる。そのため、本実施形態の型紙セットを用いた施工方法では、施工中の第一型紙１の位置ずれを壁面１００によって規制することができ、これにより、壁面１００と便器との間にトイレ用設備を設置しない際にも、便器の位置決めを簡単に行うことができる。
【００７２】
また、本実施形態の型紙セットを用いた施工方法では、第二型紙２００と第二型紙２０１を使い分けることで、対応可能な排水管３の配置の範囲を拡げることができる。
【００７３】
また、本実施形態の型紙セットを用いた施工方法では、第二型紙２００と第二型紙２０１と第二型紙２０２を使い分けることで、現場に応じて様々なパターンに対応することができ、汎用性の高いものとなっている。
【００７４】
続いて、本発明の第二実施形態の型紙セットについて説明する。本実施形態の型紙セットは、図１１に示すように、第一実施形態の型紙セットとは、第二型紙２が異なる。本実施形態の型紙セットについて、第一実施形態の型紙セットと同様の構成については図中に同じ符号を付けて詳しい説明を省略する。
【００７５】
本実施形態の型紙セットでは、第二型紙２は、図１１、図１２（ａ）及び図１２（ｂ）に示すように、第一型紙１に載置されるベース部２０と、ベース部２０と一体に設けられる複数の立ち上がり部２１とを有する。複数の立ち上がり部２１は、前後に距離をあけて配置され、互いに平行に設けられる。複数の立ち上がり部２１にはそれぞれ、エルボ体４に接続された横引き管５が挿通される挿通孔２３が設けられる。複数の立ち上がり部２１にそれぞれ設けられた挿通孔２３は、ベース部２０の合わせ孔２２の中心Ｃ１までの水平方向の距離Ｌ１が互いに異なる。言い換えると、複数の立ち上がり部２１はそれぞれ、合わせ孔２２の中心Ｃ１までの前後距離Ｌ１が互いに異なる。
【００７６】
本実施形態では、第二型紙２は、２つの立ち上がり部２１を有し、２つの立ち上がり部２１間に、合わせ孔２２が位置する。２つの立ち上がり部２１それぞれの挿通孔２３は、合わせ孔２２の中心Ｃ１までの前後距離Ｌ１が、第一実施形態の３つの第二型紙２００，２０１，２０２のうちのいずれか１つの前後距離Ｌ１と同じである。
【００７７】
例えば、一方の立ち上がり部２１の挿通孔２３の、合わせ孔２２の中心Ｃ１までの前後距離Ｌ１３は、第一実施形態の第二型紙２００の前後距離Ｌ１０と同じである。そして、他方の立ち上がり部２１の挿通孔２３の、合わせ孔２２の中心Ｃ１までの前後距離Ｌ１４は、第一実施形態の第二型紙２０２の前後距離Ｌ１２と同じである。あるいは、他方の立ち上がり部２１の挿通孔２３の、合わせ孔２２の中心Ｃ１までの前後距離Ｌ１４は、第一実施形態の第二型紙２０１の前後距離Ｌ１１と同じである。なお、一方の立ち上がり部２１の挿通孔２３の前後距離Ｌ１３が第一実施形態の第二型紙２０２の前後距離Ｌ１２と同じであり、他方の立ち上がり部２１の挿通孔２３の前後距離Ｌ１４が第一実施形態の第二型紙２０１の前後距離Ｌ１１と同じであってもよい。
【００７８】
本実施形態の型紙セットを用いた施工方法は、上述した第一実施形態の施工方法とは、第二型紙２の設置の仕方のみ異なる。
【００７９】
本実施形態では、第一型紙１に第二型紙２を載置する際に、第二型紙２の合わせ孔２２を排水管３の周囲の取付部材３０の外周面に合致させ、２つの立ち上がり部２１のうち、現場の状況に対応した一方の立ち上がり部２１の挿通孔２３に横引き管５を挿入させる。例えば、トイレ用設備を設置する場合には、トイレ用設備に対応した立ち上がり部２１の挿通孔２３に横引き管５を挿入させる。また、トイレ用設備を設置しない場合において、排水ソケット６に直接横引き管５を接続する場合には、排水ソケット６に対応した立ち上がり部２１の挿通孔２３に横引き管５を挿入させる。また、トイレ用設備を設置しない場合において、排水ソケット６に延長部材７を介して横引き管５を接続する場合には、延長部材７付きの排水ソケット６に対応した立ち上がり部２１の挿通孔２３に横引き管５を挿入させる。
【００８０】
以上のように、本実施形態の型紙セットを用いた施工方法では、２つの立ち上がり部２１の挿通孔２３のうち、トイレ用設備に対応した立ち上がり部２１の挿通孔２３を用いることで、第一型紙１をトイレルームの壁面１００に当てたままの状態で使用できる。そのため、施工中の第一型紙１の位置ずれをトイレルームの壁面１００によって規制することができる。これにより、本実施形態の型紙セットを用いた施工方法では、トイレルームの壁面１００と便器との間に、手洗い器等のトイレ用設備を設置する際に、便器の位置決めを簡単に行うことができる。
【００８１】
また、本実施形態の型紙セットでは、トイレ用設備を設置する場合に限らず、トイレ用設備を設置しない場合にも、選択する立ち上がり部２１を変えることで、延長部材７付きの排水ソケット６や、延長部材７無しの排水ソケット６に対応可能である。
【００８２】
これにより、本実施形態の型紙セットは、１つの第二型紙２で現場に応じた複数パターンの状況に対応できるため、汎用性の高いものとなっている。
【００８３】
また、本実施形態の型紙セットを用いた施工方法では、第二型紙２を１８０度反転させることで、２つの立ち上がり部２１の配置を入れ替えることができ、２つの立ち上がり部２１の挿通孔２３の使い分けを簡単に行うことができる。
【００８４】
なお、上述した第二実施形態では、立ち上がり部２１を２つ有する第二型紙２の例について説明したが、第二型紙２の立ち上がり部２１は、３つ以上であってもよい。
【００８５】
また、上述した第二実施形態では、立ち上がり部２１を合わせ孔２２の前側と後側に有する第二型紙２の例について説明したが、第二型紙２の複数の立ち上がり部２１は、合わせ孔２２の前側にだけまたは後側にだけ、前後に距離をあけて配置されていてもよい。
【００８６】
以上まとめると、本発明の型紙セットは、上述した第一実施形態の型紙セットのように、下記の構成を備えることを特徴とする。
【００８７】
すなわち、本発明の型紙セットは、排水ソケット６と、エルボ体４と、横引き管５とを介して、トイレルームの床面１０１の排水管３と便器９の排水口とを接続する際に用いられる型紙セットである。排水ソケット６は、排水管３に取り付けられ、エルボ体４は、床面１０１に載置され、便器９の排水口に取り付けられる。横引き管５は、排水ソケット６とエルボ体４を接続する。本発明の型紙セットは、トイレルームの壁面１００に当てた状態で床面１０１に載置される第一型紙１と、排水管３に位置を合わせて第一型紙１に載置される第二型紙２とを備える。第一型紙１は、エルボ体４の載置位置を示す目印１１と、排水管３が内側に配される開口１２とを有する。第二型紙２は、第一型紙１に載置されるベース部２０と、ベース部２０と一体に設けられる立ち上がり部２１とを有する。ベース部２０には、排水管３に位置を合わせる合わせ孔２２が設けられ、立ち上がり部２１には、エルボ体４に接続された横引き管５が挿通される挿通孔２３が設けられる。挿通孔２３に挿通される箇所が横引き管５の切断位置である。第二型紙２は、複数設けられ、複数の第二型紙２それぞれは、合わせ孔２２の中心から挿通孔２３までの水平方向の距離Ｌ１が互いに異なる。
【００８８】
以上のような構成とすることで、本発明の型紙セットでは、便器９と壁面１００との間に手洗い器などのトイレ用設備を配置する際には、複数の第二型紙２の中から対応した第二型紙２を選択することで、第一型紙１を壁面１００に当てた状態で用いることができる。また、本発明の型紙セットでは、延長部材７付きの排水ソケット６を用いる際にも、複数の第二型紙２の中から対応した第二型紙２を選択することで、第一型紙１を壁面１００に当てた状態で用いることができる。これにより、本発明の型紙セットでは、施工中の第一型紙１の位置ずれを壁面１００で規制することができ、便器９の位置決めを正確に行いやすい。
【００８９】
また、本発明の型紙セットは、上述した第一実施形態の型紙セットのように、下記の構成を更に備えることが好ましい。
【００９０】
すなわち、本発明の型紙セットでは、第一型紙１には、開口１２の周囲に、選択されるべき第二型紙２を示す第二目印１３が設けられる。
【００９１】
このような構成を備えることで、本発明の型紙セットでは、複数の第二型紙２の中から１つの第二型紙２を選択する際に、第二目印１３を目安にすることができ、間違った第二型紙２を選択することを抑制できる。
【００９２】
また、本発明の型紙セットは、上述した第二実施形態の型紙セットのように、下記の構成を備えることを特徴とする。
【００９３】
すなわち、本発明の型紙セットは、排水ソケット６と、エルボ体４と、横引き管５とを介して、トイレルームの床面１０１の排水管３と便器９の排水口とを接続する際に用いられる型紙セットである。排水ソケット６は、排水管３に取り付けられ、エルボ体４は、床面１０１に載置され、便器９の排水口に取り付けられる。横引き管５は、排水ソケット６とエルボ体４を接続する。本発明の型紙セットは、トイレルームの壁面１００に当てた状態で床面１０１に載置される第一型紙１と、排水管３に位置を合わせて第一型紙１に載置される第二型紙２と、を備える。第一型紙１は、エルボ体４の載置位置を示す目印１１と、排水管３が内側に配される開口１２とを有する。第二型紙２は、第一型紙１に載置されるベース部２０と、ベース部２０と一体に設けられる複数の立ち上がり部２１とを有する。ベース部２０には、排水管３に位置を合わせる合わせ孔２２が設けられ、複数の立ち上がり部２１にはそれぞれ、エルボ体４に接続された横引き管５が挿通される挿通孔２３が設けられる。挿通孔２３に挿通される箇所が横引き管５の切断位置である。複数の立ち上がり部２１にそれぞれ設けられた挿通孔２３は、合わせ孔２２の中心までの水平方向の距離Ｌ１が互いに異なる。
【００９４】
以上のような構成とすることで、本発明の型紙セットでは、便器９と壁面１００との間にトイレ用設備を配置する際には、複数の立ち上がり部２１の挿通孔２３の中から対応した挿通孔２３を選択することで、第一型紙１を壁面１００に当てた状態で用いることができる。また、本発明の型紙セットでは、延長部材７付きの排水ソケット６を用いる際にも、複数の立ち上がり部２１の挿通孔２３の中から対応した挿通孔２３を選択することで、第一型紙１を壁面１００に当てた状態で用いることができる。これにより、本発明の型紙セットでは、施工中の第一型紙１の位置ずれを壁面１００で規制することができ、便器９の位置決めを正確に行いやすい。
【００９５】
また、本発明の型紙セットは、上述した第二実施形態の型紙セットのように、下記の構成を更に備えることが好ましい。
【００９６】
すなわち、本発明の型紙セットでは、複数の立ち上がり部２１は、２つの立ち上がり部２１であり、２つの立ち上がり部２１間に、合わせ孔２２が位置する。
【００９７】
このような構成を備えることで、本発明の型紙セットでは、第二型紙２を反転させることで、２つの立ち上がり部２１の挿通孔２３を簡単に使い分けることができる。
【００９８】
また、本発明の型紙セットを用いた施工方法は、上述した第一及び第二実施形態の型紙セットを用いた施工方法のように、下記の構成を備えることを特徴とする。
【００９９】
すなわち、本発明の型紙セットを用いた施工方法は、トイレルームの壁面１００と便器９との間にトイレ用設備を設置する際に、以下のようにして、横引き管５の切断位置を決定して、前記切断位置で横引き管５を切断する。つまり、複数の第二型紙２のうち、合わせ孔２２の中心から挿通孔２３までの距離Ｌ１が長い方の第二型紙２を用いるか、または、複数の挿通孔２３のうち、合わせ孔２２の中心から挿通孔２３までの距離Ｌ１が長い方の挿通孔２３を用いることで、前記切断位置を決定する。そして、エルボ体４を前記載置位置よりも排水管３側にずらして配置することで、壁面１００と便器９との間に、トイレ用設備を設置するためのスペースを形成する。
【０１００】
以上のように本発明の型紙セットを用いた施工方法では、エルボ体４を第一型紙１の目印１１で示される載置位置よりも排水管３側にずらして配置することで、第一型紙１は壁面１００に当てた状態のまま、エルボ体４の配置を決めることができる。これにより、本発明の型紙セットを用いた施工方法では、施工中の第一型紙１の位置ずれを壁面１００で規制することができ、便器９の位置決めを正確に行いやすい。
【０１０１】
また、本発明の型紙セットを用いた施工方法は、上述した第一及び第二実施形態の型紙セットを用いた施工方法のように、下記の構成を備えることを特徴とする。
【０１０２】
すなわち、本発明の型紙セットを用いた施工方法は、第二型紙２を用いて、載置位置上のエルボ体４に接続された横引き管５の切断位置を決定し、エルボ体４を前記載置位置で床面１０１に対して取り付ける。
【０１０３】
以上のように本発明の型紙セットを用いた施工方法では、エルボ体４を第一型紙１の目印１１で示される載置位置で床面１０１に対して取り付けることで、エルボ体４の位置決めを簡単に行なえる。
【０１０４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１０５】
１      第一型紙
２      第二型紙
３      排水管
４      エルボ体
５      横引き管
６      排水ソケット
１１    目印
１２    開口
１３    第二目印
２０    ベース部
２１    立ち上がり部
２２    合わせ孔
２３    挿通孔
１００  壁面
１０１  床面
Ｌ１    水平方向の距離（前後距離）
【図１】
2015161164.tif 000003
【図２】
2015161164.tif 000004
【図３】
2015161164.tif 000005
【図４】
2015161164.tif 000006
【図５】
2015161164.tif 000007
【図６】
2015161164.tif 000008
【図７】
2015161164.tif 000009
【図８】
2015161164.tif 000010
【図９】
2015161164.tif 000011
【図１０】
2015161164.tif 000012
【図１１】
2015161164.tif 000013
【図１２】
2015161164.tif 000014